(57)【特許請求の範囲】
【請求項１】
少なくとも前後一対の針ベッドを備え、何れか一方または双方の針ベッドが左右にラッキング可能に構成され、前後針ベッド間で編目の受け渡しが可能な横編機を使用し、前身頃または／および後身頃の衿が形成されるニットウエアを裾から肩方向に向かって編成し、その間に衿ぐり形成開始箇所以降において身頃を衿ぐりの右側と左側とに分岐させて編成するとともに、衿ぐり周縁の編目を順次編成から外して不作用状態としてゆく引き返し編を所定回数繰り返して衿ぐりを形成し、該衿ぐり周縁に衿を形成してなるニットウエアの衿首部編成方法であって、
衿ぐりの傾斜部と該傾斜部に隣接する平坦部を含む左右の衿ぐりの編目を衿ぐり中央側に向けて移動させ、傾斜部内に空針を挿入するとともに平坦部内に重ね目を形成した後、続く衿の編成の際に前記空針に新たに編目を形成するとともに前記重ね目に次コースの編目を形成する編成を左右の衿ぐりにおいてそれぞれ行うことを特徴とするニットウエアの衿首部編成方法。
【請求項２】
編成するニットウエアが前身頃と後身頃が前後に重ねられて筒状編成される編地であって、前身頃と後身頃を肩部において接合した後、前記衿ぐりの傾斜部内に空針を挿入するとともに平坦部内に重ね目を形成し、続く衿の編成の際に前記空針に新たに編目を形成するとともに前記重ね目に次コースの編目を形成する編成を衿ぐりに施すことを特徴とする請求項１に記載のニットウエアの衿首部編成方法。
【請求項３】
一方の針ベッドに係止される衿ぐりの編目を外側から順に対向する針ベッドに係止される衿ぐりの外側に送りながら空針を挿入して衿ぐりのウエール数を増加させることを特徴とする請求項２に記載のニットウエアの衿首部編成方法。
【請求項４】
ベストまたはセーター等のニットウエアの衿ぐり形成開始箇所以降において衿ぐりの右側と左側とに分岐して編成されるとともに、衿と衿ぐりの境界箇所において、隣接する２つの領域内の編目群が衿ぐり中央側に向かって寄せられ、該寄せにより生じた空所に新たに形成した編目、および寄せにより生じた重ね目に続けて衿が形成されることを特徴とするニットウエア。
【発明の詳細な説明】
技術分野
本発明は横編機を用いて編成されるベストやセーター等のニットウエアに衿首部を形成する編成方法、およびその編成方法により編成されたニットウエアに関する。
背景技術
横編機を使用し例えばベストを編成する際に、従来の編成方法では、前身頃に形成される衿ぐりと後身頃に形成される衿ぐりが同じ針本数で形成されていた。通常衿ぐりは着用時の状態に合わせて下がりと呼ばれるえぐりが形成されており、前身頃に形成されるえぐりは前下がりと呼ばれる。前下がりを形成する方法として、前身頃を編成する際に、衿の形成開始前に衿ぐりの左右の部分を引き返し編によりえぐりを形成し、それに続けて衿を形成する。しかしながら、上記した方法では、衿の編幅（ウエール数）は引き返し編により衿ぐりを形成する前と変わっておらず、衿が突っ張り、十分な前下がりを形成できない。
本願出願人は日本特許公開平４−２１４４４８号公報に前身頃の衿ぐりを広げるとともにこれに前下がりを形成する横編機による編地の編成方法を先に提案した。これは前身頃を衿ぐり形成開始箇所以降において、衿ぐりを挟む右前身頃と左前身頃に分岐して編成し、その編成の過程において衿ぐり周縁に沿って増し目を行うと共に、左右の編目を外側に移動させる編成を繰り返しながら前身頃を肩まで編成するものである。衿ぐりをこのようにして形成することで衿ぐりのウエール数が増やされ、その結果、これに続けて編まれる衿は幅の広いものとなるだけでなく前下がりが形成される。このように編まれた前身頃を使ってセーターを製造すればファッション性が高く、着用時に容易に頭を衿ぐりに通せて着心地の良いニットウエアを編成できる。
第１２図に平坦部Ｘ−Ｙとその両側の傾斜部Ｗ−Ｘ、Ｙ−Ｚから構成される衿１００が形成された前身頃１０１を示す。前衿１００の平坦部Ｘ−Ｙでは、平坦部Ｘ−Ｙの周長（Ｔ２）と平坦部Ｘ−Ｙのウエール数（Ｔ１）の関係がＴ１＝Ｔ２となっており、形成する衿の周長（Ｔ２）に対し十分なウエール数が確保されている。それに対し、傾斜部Ｗ−ＸおよびＹ−Ｚでは、傾斜部の周長（Ｓ２，Ｕ２）と傾斜部Ｗ−ＸおよびＹ−Ｚのウエール数（Ｓ１，Ｕ１）の関係がＳ１＜Ｓ２、Ｕ１＜Ｕ２となっており、形成する衿の周長に対し十分なウエール数が確保されていない。このように傾斜部Ｗ−Ｘ、Ｙ−Ｚでウエール数が不足すると、平坦部Ｘ−Ｙが傾斜部Ｗ−Ｘ、Ｙ−Ｚにより両側に引っ張られ、持ち上げられるために十分な前下がりを形成できない。また、実際に編成される衿の周長は、予め想定した周長Ｓ２＋Ｔ２＋Ｕ２よりも短いＳ１＋Ｔ１＋Ｕ１となり、十分な口径の衿首用開口を形成できない。
本発明は上記した問題に鑑み、十分な下がりが形成された、着心地が良くファッション性が高く、十分な下がりが形成された衿をニットウエアに形成する方法、およびそのような衿が形成されたニットウエアを開示しようとするものである発明の開示
上記した課題を解決するため、本発明のニットウエアの衿首部編成方法は、少なくとも前後一対の針ベッドを備え、何れか一方または双方の針ベッドが左右にラッキング可能に構成され、前後針ベッド間で編目の受け渡しが可能な横編機を使用し、前身頃または／および後身頃の衿が形成されるニットウエアを裾から肩方向に向かって編成し、その間に衿ぐり形成開始箇所以降において身頃を衿ぐりの右側と左側とに分岐させて編成するとともに、衿ぐり周縁の編目を順次編成から外して不作用状態としてゆく引き返し編を所定回数繰り返して衿ぐりを形成し、該衿ぐり周縁に衿を形成してなるニットウエアの衿首部編成方法であって、衿ぐりの傾斜部と該傾斜部に隣接する平坦部を含む左右の衿ぐりの編目を衿ぐり中央側に向けて移動させ、傾斜部内に空針を挿入するとともに平坦部内に重ね目を形成した後、続く衿の編成の際に前記空針に新たに編目を形成するとともに前記重ね目に次コースの編目を形成する編成を左右の衿ぐりにおいてそれぞれ行うことを特徴とする。
編成するニットウエアが前身頃と後身頃が前後に重ねられて筒状編成される編地であって、前身頃と後身頃を肩部において接合した後、前記衿ぐりの傾斜部内に空針を挿入するとともに平坦部内に重ね目を形成し、続く衿の編成の際に前記空針に新たに編目を形成するとともに前記重ね目に次コースの編目を形成する編成を衿ぐりに施すことも特徴の一つである。
さらに、一方の針ベッドに係止される衿ぐりの編目を外側から順に対向する針ベッドに係止される衿ぐりの外側に送りながら空針を挿入して衿ぐりのウエール数を増加させることも特徴の一つである。
また、本発明のニットウエアは、ベストまたはセーター等のニットウエアの衿ぐり形成開始箇所以降において衿ぐりの右側と左側とに分岐して編成されるとともに、衿と衿ぐりの境界箇所において、隣接する２つの領域内の編目群が衿ぐり中央側に向かって寄せられ、該寄せにより生じた空所に新たに形成した編目、および寄せにより生じた重ね目に続けて衿が形成されることを特徴とする。
本発明ではベストやセーターなどのニットウエアを編成する際に、例えば前身頃において衿ぐりの形成が開始される箇所以降において、右前身頃と左前身頃に分岐されて前身頃を編成するとともに、衿ぐり側の周縁の編目を衿ぐりの中央側から外側に向かい編目を針に係止したまま順次不作用状態としていく引き返し編を繰り返す。これにより衿ぐり外側の編成コース数を衿ぐり中央部の編成コース数に比べ多くすることにより中央部が深く外側が浅い円弧状の衿ぐりを形成するとともに右前身頃と左前身頃を形成する。
続いて、衿ぐりの周長に対しウエール数を補完するために傾斜部の編目および平坦部の編目群を対向する針ベッドに目移しした後、針ベッドを衿ぐり中央側に向かってラッキングしながら対向する針ベッドに目移しした編目を元の針ベッドに移し戻す。この時、ラッキングを１ピッチ、２ピッチ…とラッキングピッチを大きくする毎に適宜数の編目を元の針ベッドに移し戻す。針ベッドを衿ぐりの中央側に向かってラッキングしながら編目を元の針ベッドに移し戻すことで、ウエール数の補完を要する衿ぐりの傾斜部に空針を挿入し、傾斜部に隣接する平坦部において隣接する編目同士が重ねられた重ね目を形成する。
続いて衿ぐりの中央を挟んで反対側において、同様の編成を左右対称に行い、同様に重ね目と空針を形成する。これにより傾斜部の空針に新たに編目が形成されて傾斜部のウエール数が増加するとともに、平坦部の重ね目に次コースの編目が形成されて平坦部のウエール数を減らした後、衿ぐりの全域に給糸して衿を形成する。
なお、編成する編地が前身頃と後身頃が前後に重ねられ筒状編成される編地である場合には、前身頃と並行して後身頃が編成され、袖と身頃を接合する部分では、前身頃と同様に後身頃を編成する都度、袖との接合が行われ、袖と身頃の接合完了後、前身頃と後身頃を肩部において連結する。形成する衿ぐりの周長に対し衿ぐり全体のウエール数が不足する場合には、例えば前衿ぐりのウエール数を増加させる編成を行い、衿ぐりの右側部分および左側部分の編目を内側から１針、２針、…と外側に向けてその移動量を大きくさせて移動させ、各編目間に空針を挿入する。空針を編目間に挿入する際には、第１針ベッドの針に係止される衿ぐりの編目数と、第２針ベッドの針に係止される衿ぐりの編目数の差が２以上とならないように、前衿ぐりの両端部の編目を後身頃に形成される後衿ぐりの側端の編目の外側に移動させ、第１針ベッドと第２針ベッド間で編目送りを行う。上記したよう編目間に空針を挿入し衿ぐり全体のウエール数を増加させて補完することにより、周長の大きな衿を編成可能となり、より確実に前下がりを形成できるという効果がある。
発明を実施するための最良の形態
以下、本発明の一実施例を図面とともに説明する。本実施例では、図示しないが上面に多数のスライドニードルを列設した前ベッド（ＦＢ）と後ベッド（ＢＢ）を前後対向配置し、後ベッドが左右にラッキング可能で、前ベッドの上位に多数のトランスファージャック（以下、ＴＲジャックとする）が針ベッドの針ピッチと同ピッチで列設され、針ベッドに対し左右ラッキング可能に設けられるトランスファージャックベッド（以下、ＴＲジャックベッドとする）を備え、前後針ベッド間およびＴＲジャックベッドと前後針ベッド間での目移しが可能なタイプの横編機を編成に使用する。また、本実施例では本願出願人の先の出願である日本特許公開平１１−４３８４９号に開示される編目の預け置き方法と呼ばれるホールディング技術を利用した編成が可能な横編機を使用する。ホールディングとは針本体とスライダーからなり、スライダーが二枚の薄板を重ね合わせ、スライダー先端側にタングを備えたスライドニードルと呼ばれる複合針を使用して行う編成技術である。ホールディングでは針本体のフックに係止していた編目を保持するとともに、スライダーのタング上でもう一つの編目を受け取ることで同じ針上に異なる２つの編目を分離した状態を維持したまま保持する。このホールディングの詳細な説明に関しては上記公報に開示されているので、これ以上の詳細な説明は省略する。ホールディングでは編目を移した側の針を一時的に空針とすることができ、これを使って適宜の編成を行った後、預けた編目を元の針に移し戻せば編目を移す前の状態に復帰できるので、二枚ベッド横編機でも一本置きの針を使用するという制限なしにシームレスニットウエアを編成できる。なお、本実施例の方法は前後に編地を重ねて筒状編成する場合に限定されず、例えはパーツとして前身頃のみを編成する場合にも利用できるが、以下の説明では前身頃と後身頃がその両端部で連続する筒状編地を編成する過程で実施する場合を説明する。
第１図は本実施例により編成されるニットウエアとしてのセーター１を示す。セーター１は袖がセットインタイプで、衿が「Ｕ」字状のラウンドネックである。以下の説明では説明の便宜上、編組織を平編としたが、ジャカードやリブ編組織とすることもできる。第２図はセーターを構成する身頃と袖および衿の型紙（編目配列）を示し、上がセーター着用時に後側に現れる後身頃、左右の袖の後部分と後衿部８ｂを示し、これらは後ベッドの針を使用して編成される。下がセーター着用時に前側に現れる前身頃、左右の袖の前部分と前衿部を示し、これらは後述するが前衿部の外側の一部を除いて前ベッドの針を使用して編成される。
セーター１は脇下部において前身頃２ａの各点Ａ，ａは、前袖部４ａ，１４ａの各点Ｐ，ｐと接合され、後身頃２ｂの各点Ｈ，ｈは後袖部４ｂ，１４ｂの各点Ｓ，ｓと接合される。前身頃２ａの線Ａ−Ｂと袖４ａの線Ｐ−Ｑ、前身頃２ａの線ａ−ｂと袖１４ａの線ｐ−ｑが接合される。同様に後身頃２ｂの線Ｈ−Ｉと袖４ｂの線Ｓ−Ｔが接合され、後身頃２ｂの線ｈ−ｉと袖１４ｂの線ｓ−ｔが接合される。前身頃２ａは衿ぐり１０ａが形成される点Ｆ，ｆ以降にかけて後身頃２ｂと異なる形状をしており、右前身頃１５ａと左前身頃５ａとに分岐して編成される。なお、右前身頃１５ａや右袖１４などの各パーツを示す際に使う右・左はセーター着用時の着用者を基準に示すものとする。８ａは前衿部を示し、後衿部８ｂよりも幅が大きい。線Ｃ−Ｄ−Ｅ−ｅ−ｄ−ｃは前衿部８ａが形成される前身頃２ａの衿ぐり１０ａである。線Ｊ−ｊは後衿部８ｂが形成される後衿ぐり１０ｂである。
第３図はセーター編成時の各段階の概略を示す。ステップＬで身頃２、袖４，１４用にそれぞれ用意した給糸口（図示なし）で筒状の裾ゴム６、７、１７の編成を開始する。以降、ステップＭに達するまでは、身頃２と袖４，１４を別々の筒状編地として編成する。ステップＭからステップＮでは、前身頃２ａ、後身頃２ｂ、左袖４、右袖１４を一つの筒状体として編成しながらその都度、身頃２と左右の袖４，１４を接合してゆく。ステップＮからはステップＭ〜Ｎの編成に加えて前身頃２ａを左前身頃５ａと右前身頃１５ａとに分岐し、左前身頃５ａと右前身頃１５ａの編成で引き返し編しながら前衿ぐり１０ａを形成し、同時に身頃と袖を線Ａ−Ｂと線Ｐ−Ｑ、線ａ−ｂと線ｐ−ｑで接合して肩まで編成する。この間、衿ぐり１０ａの線Ｃ−Ｄ−Ｅ−ｅ−ｄ−ｂに沿う周縁の編目を順次不作用状態に置いてゆく引き返し編成を繰り返し行って円弧状の切り欠きを形成する。続いて肩部において前身頃２ａの線Ｂ−Ｃと後身頃２ｂの線Ｉ−Ｊ、前身頃２ａの線ｂ−ｃと後身頃２ｂの線ｉ−ｊを接合し、公知の解れ止め手段により伏目処理する。
実際の編成の詳細な説明を行う前に編成の概略を第４図を使用して説明する。第４−ａ図はセーター１の衿部の拡大図、図４−ｂは後衿ぐり１０ｂに対する前衿ぐり１０ａの周長の変化を示す略図である。衿８は前身頃２ａの前衿ぐり１０ａの周りに前衿部８ａが形成され、後身頃２ｂの後衿ぐり１０ｂに後衿部８ｂが形成される。前衿ぐり１０ａは傾斜のあるＣ−Ｄ−Ｅおよびｃ−ｄ−ｅの傾斜部とＥ−ｅの平坦部からなり、左右の傾斜部は傾斜上部Ｃ−Ｄ、ｃ−ｄと傾斜下部Ｄ−Ｅ、ｄ−ｅからなる。後衿ぐり１０ｂは図４−ｂの（１）であり、前衿ぐり１０ａは（２）であり、ウエール数は（１）＝（２）となっている。ここで、この状態から先に傾斜上部Ｃ−Ｄ、ｃ−ｄで増目してウエール数を増加させ、（３）の状態とする。この編成により前衿ぐり１０ａは後衿ぐり１０ｂより周長が長くなる。次に傾斜下部Ｄ−Ｅ、ｄ−ｅの編目を中央線Ｘ−Ｘ側に移動させ、傾斜下部内に空針を挿入し平坦部内で隣接する編目同士を重ね合わせる編成を行い傾斜下部Ｄ−Ｅ、ｄ−ｅのウエール数を増加させ、平坦部Ｅ−ｅのウエール数を減少させ（４）の状態とする。ここでは（３）の状態から衿ぐりの周長自体は変化せず、傾斜下部Ｄ−Ｅ、ｄ−ｅ間のウエール数と、平坦部Ｅ−ｅ間のウエール数の比率の変更のみを行う。
第４−ｂ図の（２）から（３）へと衿ぐり１０の傾斜上部Ｃ−Ｄ、ｃ−ｄのウエール数を増加させる編成を第５〜第７図を使用して説明する。第５図のステップ１は衿ぐり１０を除く肩までの接合編成が完了した状態の針ベッドにおける編目の係止状態を示し、前ベッドの針Ｄ〜Ｗに前身頃２ａの線Ｃ−Ｄ−Ｅ−ｅ−ｄ−ｃ上の前衿ぐり１０ａの編目が係止され、後ベッドの針Ｄ〜Ｗに後身頃２ｂの線Ｊ−ｊ上の後衿ぐり１０ｂの編目が係止されている。図中前身頃２ａの編目は太丸で示す。編針Ａ〜Ｍは衿ぐり１０の中央線Ｘ−Ｘ左側の編目を示し、針Ｎ〜Ｚは中央線Ｘ−Ｘ右側の編目を示し、実際の編成では針Ｍと針Ｎの間に多数の針が存在する状態で編成が行われる。本実施例では前衿ぐり１０ａの傾斜上部Ｃ−Ｄ、ｃ−ｄでそれぞれ４ウエール増目する例を示す。
衿ぐり１０を広げる編成は、前衿ぐり１０ａの編目の移動により行う。この編成の間、後衿ぐり１０ｂの編目は移動することなく保持される。ステップ２〜ステップ８は前衿ぐり１０ａの左側部分で増目する処理を示し、ステップ９〜ステップ１５は前衿ぐり１０ａの右側部分で増目する処理を示す。後ベッドやＴＲジャックベッドがステップ１の位置関係にある時を針ベッドのラッキング原点とする。まず、ステップ２で後ベッドを左へ１針分（１Ｐ）ラッキングして前ベッドの針Ｄに係止している編目３９を後ベッドの針Ｋのスライダーのタング上にホールディングさせた後、針Ｄに係止される前衿ぐり１０ａの左端の編目３１を後ベッドに移す。
次にステップ３では前ベッドの針Ｅ〜Ｋに係止される編目３２〜３８をＴＲジャックＥ〜Ｋに移す。ステップ４ではＴＲジャックベッドを２針分（２Ｐ）左へラッキングした状態としてＴＲジャックに係止した編目３８を前ベッドの針Ｉに移すと共に、前記ステップ２で後ベッドの針Ｋにホールディングした編目３９を前ベッドの針Ｋに移す。上記では編目３９の移動をホールディングを利用して行ったが、これに代えてＴＲジャックを利用して行うことも可能である。
ステップ５ではＴＲジャックベッドをステップ４から更に１針分左へラッキングしてＴＲジャックＩに係止した編目３７を前ベッドの針Ｇに移す。ステップ６では更にＴＲジャックベッドを１針分左へラッキングしてＴＲジャックＥ−Ｉに係止した編目３２〜３６を前ベッドの針Ａ〜Ｅに移す。
ステップ７では後ベッドを１針分左へラッキングして前ベッドの針Ａに移された編目３２を後ベッドの針Ｂに移す。ステップ８では衿ぐり１０ａの左側部分を広げる処理が完了し、後ベッドをラッキング原点に戻した時の衿ぐり１０ａの各編目の係止状態を示す。前衿ぐり１０ａの左端の２つの編目３１，３２が端の編目３１から順に後衿ぐり１０ｂの側端の編目に隣接するように後ベッドへ送られる。前衿ぐり１０ａの左側部分の移動される編目３３〜３９が元々あった位置から内側を１針として、２針、３針、４針分と外側に向けてその移動量を大きくさせて左に移動させ、４つの空針Ｆ，Ｈ，Ｊ，Ｌを編地内に形成した状態となる。
ここでは各編目３６，３７，３８，３９，４０の間に空針が１本づつ挿入されるが、衿ぐりの本数が多本数である場合には、例えば３つ毎にそれぞれを１針、２針、３針、４針分と順次シフトさせ、それらの編目間に空針を１本づつ挿入するようにしてもよい。増加させるウエールの数に応じて空針が挿入され、空針が連続しないように移動させる編目を分散させることにより後工程で行う増目をスムーズに行うことができる。しかしながら分散させるのに十分な目数がない場合には空針が連続しても問題はない。また、本実施例では前衿ぐりの中央線Ｘ−Ｘの左右それぞれの衿ぐりにおいて４ウエールづつ増やし、側端の編目３１，３２を後ベッドに送ることで前衿と後衿部の周長の差を２分し、前ベッドの針に係止される編目数と、後ベッドの針に係止される編目数の差が大きくなるのを防止することで、糸切れや編筋の発生を回避している。衿ぐりを一方において２ウエール増やす場合には、側端の編目３１だけを後ベッドに送ればよい。後ベッドに送られる編目の数は衿ぐりにおいて増やすウエールの数により変化する。
次にステップ９〜１５では上記前衿ぐり１０ａの中央線Ｘ−Ｘ左側で増目したステップ２〜８と同様の編成を中央線Ｘ−Ｘの右側で行う。ステップ１５は前衿ぐり１０ａが広げられた後の衿ぐりの編目の係止状態を示す。前衿ぐり１０ａの右側部分と左側部分でそれぞれ４ウエールづつ増目され、その内両端の２目が後ベッドの後衿ぐり１０ｂの外側に送られた状態となっている。このように前衿ぐり１０ａの側端の編目３１，３２，４１，４２を後ベッドに送ることで前後の針ベッドにおいて係止する両側端の編目同士が左右に大きく離れることなく近接した状態を維持して衿ぐりの口径を広げることができる。ステップ１６は衿８ａ，８ｂを編成する際に、編目間に挿入された空針Ｆ・Ｈ・Ｊ・Ｌ・Ｏ・Ｑ・Ｓ・Ｕに増目を行うステップを示し、ステップ１７は後衿ぐり１０ｂに給糸する編成を示す。
次に第４−ｂ図の（３）から（４）へと傾斜下部Ｄ−Ｅ、ｄ−ｅの編目を平坦部Ｅ−ｅ側に移動させ、傾斜下部Ｄ−Ｅ、ｄ−ｅに空針を挿入して平坦部ウエール数を増加させるとともに、平坦部Ｅ−ｅのウエール数を減少させる編成を第８〜第１１図を使用して説明する。第８〜第１１図の編成は第７図までの編成に続いて行われる。第８〜第１１図においては、説明の便宜上中央線Ｘ−Ｘの左右での編成を別々に示し、ステップ番号の右側に付した（Ｌ）は衿ぐり１０の中央線Ｘ−Ｘの左側（着用時に右側）での編成を、（Ｒ）は中央線Ｘ−Ｘの右側（着用時に左側）での編成を示す。中央線Ｘ−Ｘの左右何れか一方でのみ編成を行うステップではその部分で行われる編成のみを示し、左右両側で編成を行う場合にはステップ１３のように中央線Ｘ−Ｘの左側と右側で行われる編成を分割して示す。第８〜第１１図においてステップ番号に（Ｒ）の付したステップでは、図示せぬが前ベッドの左側に前衿ぐり１０ａの傾斜上部ｃ−ｄの編目が、右側に中央線Ｘ−Ｘの右側の衿ぐり１０の編目が係止されている。後ベッドには後衿ぐり１０ｂの編目、および後ベッドに移された前衿ぐり１０ａの編目が係止されている。また、ステップ番号に（Ｌ）を付したステップでは前ベッドの左側に中央線Ｘ−Ｘの左側の衿ぐり１０の編目が係止され、右側には傾斜上部Ｄ−Ｃの編目が係止され、後ベッドには後衿ぐり１０ｂの編目および後ベッドに移された前衿ぐり１０ａの編が係止されている。なお、以下の説明では中央線Ｘ−Ｘの左右それぞれの傾斜下部Ｄ−Ｅ、ｄ−ｅの編目を平坦部Ｅ−ｅへ移動して傾斜下部Ｄ−Ｅ、ｄ−ｅをそれぞれ４ウエールづつ増やす例とする。
第８図のステップ１は第５〜第７図の編成が完了した時点での係止状態を示す。ステップ１では前ベッドの針Ａ〜Ｗに傾斜下部ｄ−ｅの編目が、針Ｘ−ｉに平坦部ｅ−Ｅの編目が係止され、後ベッドの針Ａ〜ｉに後衿ぐりＪ−ｊの編目が係止されている。ステップ２では前ベッドの針Ｄ〜ｅの編目をＴＲジャックベッドのＴＲジャックＤ〜ｅに目移しする。ステップ３ではＴＲジャックベッドを右に１針分ラッキングした後、ＴＲジャックＤ〜Ｇの編目４１〜４４、およびｃ〜ｅの編目４５〜４７を前ベッドに目移しする。これにより、前ベッドの針Ｄに空針が挿入されるとともに、針ｆに重ね目が形成される。ステップ４ではステップ３の状態から更に１針分右にＴＲジャックベッドをラッキングし、ＴＲジャックＨ〜Ｋの編目４８〜５１およびＺ〜ｂの編目５２〜５４を前ベッドに目移しし、前ベッドの針Ｉに空針を挿入し、針ｄに重ね目を形成する。ステップ５では更に１針分ＴＲジャックベッドを右にラッキングし、ＴＲジャックＬ〜Ｏの編目５５〜５８およびＷ〜Ｙの編目５９〜６１を前ベッドに目移しし、前ベッドの針Ｎに空針を挿入し、針ｂに重ね目を形成する。そしてステップ６でもＴＲジャックベッドを更に右に１針分ラッキングした後、ＴＲジャックベッドのＴＲジャックＰ〜Ｖの編目６２〜６８を前ベッドに目移しし、前ベッドの針Ｓに空針を挿入し、針Ｚに重ね目を形成する。これにより前衿ぐり１０ａの傾斜下部ｄ−ｅに空針Ｄ・Ｉ・Ｎ・Ｓが挿入されて、平坦部ｅ−Ｅの針Ｚ・ｂ・ｄ・ｆに重ね目が形成される。
ステップ７から中央線Ｘ−Ｘ右側での編成に移る。ステップ７では前ベッドの針Ａ〜Ｌに平坦部ｅ−Ｅの編目が、針Ｍ−ｉに傾斜下部Ｅ−Ｄの編目が係止され、後ベッドの針Ａ〜ｉに後衿ぐり１０ｂの傾斜下部Ｅ−Ｄの編目が係止されている。ステップ７〜１２ではステップ１からステップ６と同様の編成を中央線Ｘ−Ｘの右側で左右対称に行い、ステップ１２に示すように平坦部ｅ−Ｅの針Ｄ・Ｆ・Ｈ・Ｉに重ね目を形成し、傾斜下部Ｅ−Ｄの針Ｑ・Ｖ・ａ・ｆに空針を挿入する。ステップ１３（Ｒ）では給糸口を前衿ぐり１０ａの左端から右端に向かって走行させ、前記中央線Ｘ−Ｘ右側の針ｆ・ａ・Ｖ・Ｑの空針に新たに編目を形成し、針Ｊ・Ｈ・Ｆ・Ｄの重ね目に次コースの編目を形成する。続いてステップ１３（Ｌ）では、中央線Ｘ−Ｘ左側の針ｆ・ｄ・ｂ・Ｚの重ね目に次コースの編目を形成し、針Ｓ・Ｎ・Ｉ・Ｄの空針に新たな編目を形成する。上記ステップ１〜ステップ１３の編成により、傾斜下部Ｄ−Ｅ、ｄ−ｅではウエール数がそれぞれ４ウエール増やされ、平坦部Ｅ−ｅでは中央線Ｘ−Ｘの左右で合わせて８ウエール減らされる。ステップ１３以降の編成では前衿ぐり１０ａと後衿ぐり１０ｂに対し環状に給糸して前衿部８ａおよび後衿部８ｂを筒状に形成する。この後、図示しないが公知の伏目処理方法等の解れ止め手段により衿の最終コースの編目を解れ止め処理して針から外してセーター１の編成が完了する。
上記編成により形成された衿は、第５〜第７図の編成により衿ぐり全体のウエール数が増やされた後、第８〜第１１図の編成により傾斜下部Ｄ−Ｅ、ｄ−ｅのウエール数を増加させ、平坦部Ｅ−ｅのウエール数を減少させることで傾斜下部Ｄ−Ｅ、ｄ−ｅのウエール数が補完される。この衿ぐりに続けて衿を編成することにより意図した形状の衿を形成でき、着心地が良くファッション性の高く、十分な前下がりが形成された衿が編成されたニットウエアを編成できる。なお、上記した実施例では前身頃２ａのみに下がりを形成する場合を説明したが、後身頃２ｂにも下がりを形成する場合には、後衿ぐり１０ｂに同様の編成を行えばよい。また、上記実施例では第５〜第７図において、前衿ぐり１０ａの外側の編目を後ベッド上に送りながら前衿ぐり１０ａに空針を挿入し衿ぐり１０全体のウエール数を増加させる編成を傾斜上部Ｃ−Ｄ、ｃ−ｄでのみ行ったが、傾斜下部Ｄ−Ｅ、ｄ−ｅや平坦部Ｅ−ｅで行ってもよい。
なお、本発明は上記実施例に限定されるものではなく、例えば編成に使用する横編機としてＴＲジャックベッドやスライドニードルを装備しない汎用の二枚ベッド横編機においても前述のように１本置きの針を編目の形成に使用することで実施できる。また、四枚ベッド横編機ではホールディングを使用しなくとも全針で編成することが可能である。上記した実施例では空針に編糸をフックさせることで増目を行ったが、割り増やしなど他の増目方法により行うこともできる。
産業上の利用可能性
本発明によれば、前身頃または／および後身頃の衿が形成されるニットウエアを裾から肩方向に向かって編成し、その間に衿ぐり形成開始箇所以降において身頃を衿ぐりの右側と左側とに分岐させて編成するとともに、衿ぐり周縁の編目を順次編成から外して不作用状態としてゆく引き返し編を所定回数繰り返して衿ぐりを形成し、衿首部において平坦部から傾斜部にウエールを補完することで衿の部分毎のウエール数の比率を形成する衿の形状に適した比率に変更し、これに続けて衿を編立てることで、着心地がよくファッション性が高く、十分な下がりが形成されたニットウエアを編成できる。
【図面の簡単な説明】
第１図は本発明により衿部が形成されたセーターを示す図である。第２図は第１図のセーターの展開図（型紙）である。第３図は第１図のセーターの編成の各段階を示す図である。第４−ａ図はセーターの衿部の部分拡大図であり、第４−ｂ図は前衿および後衿部の周長の変化を示す図である。第５図は前衿ぐりの周長を拡大する編成を示す編成コース図である。第６図は前衿ぐりの周長を拡大する編成を示す編成コース図である。第７図は前衿ぐりの周長を拡大する編成を示す編成コース図である。第８図は前衿ぐりのウエール数の比を変化させる編成を示す編成コース図である。第９図は前衿ぐりのウエール数の比を変化させる編成を示す編成コース図である。第１０図は前衿ぐりのウエール数の比を変化させる編成を示す編成コース図である。第１１図は前衿ぐりのウエール数の比を変化させる編成を示す編成コース図である。第１２図は従来の編成方法により形成される衿ぐりの周長とウエール数の関係を示す図である。
【図１】
0003887406.tif 000002
【図２】
0003887406.tif 000003
【図３】
0003887406.tif 000004
【図４】
0003887406.tif 000005
【図５】
0003887406.tif 000006
【図６】
0003887406.tif 000007
【図７】
0003887406.tif 000008
【図８】
0003887406.tif 000009
【図９】
0003887406.tif 000010
【図１０】
0003887406.tif 000011
【図１１】
0003887406.tif 000012
【図１２】
0003887406.tif 000013